(57)【要約】【課題】組立てや分解が容易な携帯用コンロを提供する。【解決手段】コンロ本体１０と支持体５０で構成する。支持体５０を、平板状で、底板スリット部６１が略コ字状に形成され、水平姿勢で組み立てられる支持底板６０と、平板状で、底板スリット部６１に挿入され、起立姿勢で組み立てられる支持脚板７０で構成する。コンロ本体１０を、平板状で、支持脚板７０の上部側が受板第一スリット部２１に挿入され、上部係止部７１が受板第一スリット部２１に係止され、水平姿勢で組み立てられる受板２０と、平板台形状で、受板第二スリット部２２に上方から挿入され、その側板係止部３１が受板第二スリット部２２に係止され、外側表面に支持脚板７０の上端が当接し、上方に末広がり状で組み立てられる側板３０と、開口部を有する平板状で、側板３０の内側に当接して外方に広げ、水平姿勢に組み立てられる火床板４０で構成する。【選択図】図１
2020192186.tif 000002
【特許請求の範囲】
【請求項１】
食材を調理するコンロ本体とそれを下から支持する支持体を備え、組立ておよび分解自在の携帯用コンロであって、
前記支持体を、
平板状で、底板スリット部が少なくとも左側，右側及び奥側の位置に略コ字状に形成され、水平姿勢で組み立てられる支持底板と、
平板状で、上下部に上部係止部と下部係止部がそれぞれ形成され、下部側が前記支持底板の底板スリット部に挿入されるとともに前記下部係止部が前記支持底板の底板スリット部に係止され、起立姿勢で組み立てられる３つの支持脚板で構成し、
前記コンロ本体を、
平板状で、並列する、外方寄りの受板第一スリット部と内方寄りの受板第二スリット部が少なくとも左側，右側及び奥側の位置に略コ字状に形成され、前記支持脚板の上部側が前記受板第一スリット部に挿入されるとともに前記支持脚板の上部係止部が前記受板第一スリット部に係止され、水平姿勢で組み立てられる受板と、
平板台形状で、上底よりも短く側板係止部が形成された下底が前記受板の受板第二スリット部に上方から挿入されるとともに前記側板係止部が前記受板第二スリット部に係止され、外側表面に前記支持脚板の上端が当接して支持されることで、上方外側に向けて末広がり状に傾斜した起立姿勢に組み立てられ、調整器具が上載される３つの側板と、
多数の開口部を有する平板状で、左右側端及び奥側端が前記３つの側板の内側表面にそれぞれ当接して前記３つの側板を外方に押し広げるようにして水平姿勢に組み立てられる火床板で構成したことを特徴とする携帯用コンロ。
【請求項２】
前記支持脚板に形成された上部係止部は、水平に延びるスリット部とそのスリット部の両端に位置する２つの柱片部であり、
前記受板の受板第一スリット部は、その幅が前記支持脚板の厚みよりも大きい長孔部とその長孔部の両端から外側に向かって連設された２つの矩形状空間部からなる略コ字状空間であり、
前記受板第一スリット部に挿入された前記支持脚板のスリット部に、前記受板の受板第一スリット部の２つの矩形状空間部の間に形成された突出部が差込まれるとともに、前記２つの矩形状空間部に、前記支持脚板の２つの柱片部がそれぞれ納められるようにして、前記受板に対して前記支持脚板は組み立てられることを特徴とする請求項１に記載の携帯用コンロ。
【請求項３】
前記支持脚板は、上部に比較して下部が幅広で、前記支持脚板に形成された下部係止部は、前記支持脚板の下部に形成された下部段部であり、
前記支持底板の底板スリット部に対して下方から上方に前記支持脚板がその上部から挿入され、前記下部段部上に前記支持脚板が当接することで、前記支持底板に対して前記支持脚板は組み立てられることを特徴とする請求項１又は２に記載の携帯用コンロ。
【請求項４】
前記側板に形成された側板係止部は、前記下底の両端が切り欠かれて形成された側板段部であり、
前記受板の受板第二スリット部に挿入された前記側板の側板段部が前記受板上に当接することで、前記受板に対して前記側板は組み立てられることを特徴とする請求項１乃至３のうちいずれか一つに記載の携帯用コンロ。
【請求項５】
前記側板の略中間高さ部分に側板孔部を形成するとともに、前記火床板の側端に前記側板孔部に係止する突起部を設けたことを特徴とする請求項１乃至４のうちいずれか一つに記載の携帯用コンロ。
【請求項６】
前記受板の左右両端部に取手部を設けたことを特徴とする請求項１乃至５のうちいずれか一つに記載の携帯用コンロ。
【請求項７】
前記受板と前記火床板との間の空間を、火床板に上載される燃料を着火させるための着火材を挿入する着火室とし、前記受板と前記支持底板との間の空間を、灰や油などを受けるための受皿を挿入する受皿室としたことを特徴とする請求項１乃至６のうちいずれか一つに記載の携帯用コンロ。
【発明の詳細な説明】
【技術分野】
【０００１】
本発明は、キャンプ場でバーベキューなどの調理を行うために使用される持ち運び可能な携帯用コンロに関するものである。
【背景技術】
【０００２】
例えば、キャンプ場でバーベキューなどの調理を行うために携帯用のコンロが広く使用されている。
従来の携帯用コンロは一般に、略箱状のコンロ本体部（調理部分）とそれを支持する折り畳み式あるいは取り外し式の支持部とで構成されている。この携帯用コンロは支持部が折り畳み式などの構成であるため、比較的、持ち運びおよび収納が容易であるものの、コンロ本体部はそうした構成ではないため、さらなる改善が求められてきた。
【０００３】
こうした点に鑑み、近年ではコンロ本体部を分解および組立てできるように構成した携帯用コンロが開示されている（例えば、特許文献１参照）。
この携帯用コンロは、組み立て式の支持部（台座部）に支持されるコンロ本体部（燃焼室部）を備え、このコンロ本体部が、側壁を構成する複数の平板状の外板部、底部を構成する格子状の火床部（ロストル）、および補助部材である複数の細い棒状の補強材と同じく細い棒状のヒンジバーなどで構成し、キャンプ場などで組立ておよび分解できるようにしている。
また、隣接する外板部同士をそれらに形成した細かい固定溝と固定フックを係合させるなどしてこの複数の外板部の起立状態を維持している。
【先行技術文献】
【特許文献】
【０００４】
【特許文献１】特開２０１７−１０４２０８号公報
【発明の概要】
【発明が解決しようとする課題】
【０００５】
特許文献１に記載の携帯用コンロは、コンロ本体部を複数の部材で構成して、キャンプ場などで組立ておよび分解ができるようにしているので、それまでの携帯用コンロと比較して持ち運びや収納が便利であると言った利点がある。
【０００６】
しかし、特許文献１に記載の携帯用コンロは、コンロ本体部を、平板状の外板部と格子状の火床部の他に、補助部材として複数の細い棒状の補強材と同じく複数の細い棒状のヒンジバーを必要とするので、部品数が多く、組立ておよび分解が面倒であるといった問題がある。
【０００７】
また、複数の補強材およびヒンジバーは細い棒状であるため、特に、草が茂った山間部のキャンプ場や砂地である海岸のキャップ状では、草や砂に紛れて紛失し易いと言った問題もある。例えば、複数の補強材のうち一つでも紛失してしまうと、この携帯用コンロは組み立てることができない。複数のヒンジバーも同様である。
【０００８】
また、隣接する外板部同士をそれらに形成した細かい固定溝と固定フックを係合させるなどして複数の外板部の起立状態を維持する必要があるので、これによっても組立ておよび分解が面倒であるといった問題がある。
【０００９】
なお、一般に、携帯用コンロは組立て完了後の調理前、調理中あるいは調理後に移動させる必要が生じる場合が多々あるが、この文献に記載の携帯用コンロは、それに対応した構成を備えていない。従って、例えば、組立て後の調理中に（従って、携帯用コンロが熱い状態で）、組立てコンロを移動させることが困難であり、かつ、無理な移動には危険が伴うといった問題もある。
【００１０】
また、一般に、携帯用コンロは、調理のために比較的着火が遅い木炭を使用するため、この着火を容易に早める構成を備えることが望ましい。特許文献１に記載の携帯用コンロはこうした構成も備えていない。
【００１１】
さらに、肉などを調理した際に発生する油分や木炭を燃焼させた際に発生する灰を受ける構成があれば、キャップ場などの携帯用コンロを使用する場所を汚さないので好ましいが、特許文献１に記載の携帯用コンロはこうした構成も備えていない。
【００１２】
そこで、本発明の目的とするところは、細い棒状の補強材などの細かい補助部品を必要とすることなく充分な構造強度を確保でき、組立ておよび分解が容易で、組立て後の調理中でも容易かつ安全に移動させることができ、さらに使用する木炭の着火を容易かつ早めることができ、使用場所を汚さない携帯用コンロを提供することにある。
【課題を解決するための手段】
【００１３】
上記の目的を達成するために、本発明の携帯用コンロ（１）は、食材を調理するコンロ本体（１０）とそれを下から支持する支持体（５０）を備え、組立ておよび分解自在の携帯用コンロであって、
前記支持体（５０）を、
平板状で、底板スリット部（６１）が少なくとも左側，右側及び奥側の位置に略コ字状に形成され、水平姿勢で組み立てられる支持底板（６０）と、
平板状で、上下部に上部係止部（７１）と下部係止部（７３）がそれぞれ形成され、下部側が前記支持底板（６０）の底板スリット部（６１）に挿入されるとともに前記下部係止部（７３）が前記支持底板（６０）の底板スリット部（６１）に係止され、起立姿勢で組み立てられる３つの支持脚板（７０）で構成し、
前記コンロ本体（１０）を、
平板状で、並列する、外方寄りの受板第一スリット部（２１）と内方寄りの受板第二スリット部（２２）が少なくとも左側，右側及び奥側の位置に略コ字状に形成され、前記支持脚板（７０）の上部側が前記受板第一スリット部（２１）に挿入されるとともに前記支持脚板（７０）の上部係止部（７１）が前記受板第一スリット部（２１）に係止され、水平姿勢で組み立てられる受板（２０）と、
平板台形状で、上底よりも短く側板係止部（３１）が形成された下底が前記受板（２０）の受板第二スリット部（２２）に上方から挿入されるとともに前記側板係止部（３１）が前記受板第二スリット部（２２）に係止され、外側表面に前記支持脚板（７０）の上端が当接して支持されることで、上方外側に向けて末広がり状に傾斜した起立姿勢に組み立てられ、調整器具が上載される３つの側板（３０）と、
多数の開口部を有する平板状で、左右側端及び奥側端が前記３つの側板（３０）の内側表面にそれぞれ当接して前記３つの側板（３０）を外方に押し広げるようにして水平姿勢に組み立てられる火床板（４０）で構成したことを特徴とする。
【００１４】
また、本発明は、前記支持脚板（７０）に形成された上部係止部（７１）が、水平に延びるスリット部（７２）とそのスリット部（７２）の両端に位置する２つの柱片部（７５）であり、
前記受板（２０）の受板第一スリット部（２１）が、その幅が前記支持脚板（７０）の厚みよりも大きい長孔部（２１ａ）とその長孔部（２１ａ）の両端から外側に向かって連設された２つの矩形状空間部（２１ｂ）からなる略コ字状空間であり、
前記受板第一スリット部（２１）に挿入された前記支持脚板（７０）のスリット部（７２）に、前記受板（２０）の受板第一スリット部（２１）の２つの矩形状空間部（２１ｂ）の間に形成された突出部（２１ｃ）が差込まれるとともに、前記２つの矩形状空間部（２１ｂ）に、前記支持脚板（７０）の２つの柱片部（７５）がそれぞれ納められるようにして、前記受板（２０）に対して前記支持脚板（７０）は組み立てられることを特徴とする。
【００１５】
また、本発明は、前記支持脚板（７０）が、上部に比較して下部が幅広で、前記支持脚板（７０）に形成された下部係止部（７３）が、前記支持脚板（７０）の下部に形成された下部段部であり、
前記支持底板（６０）の底板スリット部（６１）に対して下方から上方に前記支持脚板（７０）がその上部から挿入され、前記下部段部上に前記支持脚板（７０）が当接することで、前記支持底板（６０）に対して前記支持脚板（７０）は組み立てられることを特徴とする。
【００１６】
また、本発明は、前記側板（３０）に形成された側板係止部（３１）が、前記下底の両端が切り欠かれて形成された側板段部であり、
前記受板（２０）の受板第二スリット部（２２）に挿入された前記側板（３０）の側板段部が前記受板（２０）上に当接することで、前記受板（２０）に対して前記側板（３０）は組み立てられることを特徴とする。
【００１７】
また、本発明は、前記側板（３０）の略中間高さ部分に側板孔部（３２）を形成するとともに、前記火床板（４０）の側端に前記側板孔部（３２）に係止する突起部（４１）を設けたことを特徴とする。
【００１８】
さらに、本発明は、前記受板（２０）の左右両端部に取手部（２３）を設けたことを特徴とする。
【００１９】
またさらに、本発明は、前記受板（２０）と前記火床板（４０）との間の空間を、火床板（４０）に上載される燃料を着火させるための着火材を挿入する着火室（Ｆ）とし、前記受板（２０）と前記支持底板（６０）との間の空間を、灰や油などを受けるための受皿を挿入する受皿室（Ｐ）としたことを特徴とする。
【００２０】
ここで、上記括弧内の記号は、図面および後述する発明を実施するための形態に掲載された対応要素または対応事項を示す。
【発明の効果】
【００２１】
本発明の携帯用コンロによれば、支持体を構成する支持底板と３つの支持脚板、およびコンロ本体を構成する受板と３つの側板と火床板の全てを平板状とし、従来技術のような細かい棒状の補助部材（補強材、ヒンジバー）を不要としたので、部品数を削減することができ、これにより、組立ておよび分解を容易に行うことができる。
【００２２】
また、本発明によれば、受板第一スリット部に挿入された支持脚板のスリット部に、受板の受板第一スリット部の２つの矩形状空間部の間に形成された突出部を差込むとともに、２つの矩形状空間部に、支持脚板の２つの柱片部をそれぞれ納めるようにして、受板に対して支持脚板を組み立てるので、従来技術のような補助部材を必要とすることなく、充分な構造強度を確保した組立てを行うことができる。
【００２３】
また、本発明によれば、支持底板の底板スリット部に対して下方から上方に支持脚部をその上部から挿入し、下部段部上に支持脚部を当接させることで、支持底板に対して支持脚部を組み立てるので、組立ておよび分解をさらに容易に行うことができる。
【００２４】
また、本発明によれば、受板の受板第二スリット部に挿入した側板の側板段部を受板上に当接させることで、受板に対して側板を組み立てるので、これによっても組立ておよび分解を容易に行うことができる。
【００２５】
また、本発明によれば、側板の略中間高さ部分に側板孔部を形成するとともに、火床板の側端に側板孔部に係止する突起部を設けたので、より強い構造強度を確保することができる。
【００２６】
さらに、本発明によれば、受板の左右両端部に取手部を設けたので、組立て後の調理中でも、この取手部を持って携帯用コンロを容易かつ安全に移動させることができる。
【００２７】
またさらに、本発明によれば、受板と火床板との間の空間を、火床板に上載される燃料を着火させるための着火材を挿入する着火室としたので、使用する木炭の着火を容易に早めることができる。また、受板と支持底板との間の空間を、灰や油などを受けるための受皿を挿入する受皿室としたので、キャンプ場などの携帯用コンロを使用する場所を汚すことがない。
【図面の簡単な説明】
【００２８】
【図１】本発明の実施形態に係る携帯用コンロの外観を示す斜視図である（組み立てた状態）。
【図２】図１に示す携帯用コンロの支持底板を示す斜視図である。
【図３】図１に示す携帯用コンロの支持脚板を示す斜視図である。
【図４】図１に示す携帯用コンロの受板を示す斜視図である。
【図５】図１に示す携帯用コンロの側板を示す斜視図である。
【図６】図１に示す携帯用コンロの火床板を示す斜視図である。
【図７】図１に示す携帯用コンロの出し入れ板を示す斜視図である。
【図８】図１に示す携帯用コンロの組立て例を示す斜視図である（支持底板に支持脚板を組み付ける状態）。
【図９】図１に示す携帯用コンロの組立て例を示す斜視図である（支持底板に支持脚板を組み付けた状態）。
【図１０】図１に示す携帯用コンロの組立て例を示す斜視図である（支持脚板に受板を組付ける状態）。
【図１１】図１に示す携帯用コンロの組立て例を示す斜視図である（支持脚板に受板を組付けた状態）。
【図１２】図１に示す携帯用コンロの組立て例を示す斜視図である（支持脚板に側板を組み付けた状態）。
【図１３】図１に示す携帯用コンロの正面図である。
【図１４】図１に示す携帯用コンロにおける受板の受板第一スリット部と支持脚板のスリット部との係止状態を示す平面説明図である。
【図１５】図１に示す携帯用コンロにおける受板の受板第一スリット部と支持脚板のスリット部との係止状態を示すもので、（ａ）は図１４のＸ−Ｘ線拡大断面図、（ｂ）は図１４のＹ−Ｙ線拡大断面図である。
【図１６】底板の底板スリット部の他の態様を示す拡大平面図である。
【発明を実施するための形態】
【００２９】
図１及び図２を参照して、本発明の実施形態に係る携帯用コンロ１を説明する。図１は、本実施形態に係る携帯用コンロ１の組立状態を示す斜視図である。図２乃至図７は、組立状態にある携帯用コンロ１の各構成部材を示す斜視図である。
【００３０】
本実施形態に係る携帯用コンロ１は、図１に示すように、肉や野菜などの食材を調理するコンロ本体１０と、それを下から支持する支持体５０を備え、組立ておよび分解自在で容易に携帯及び収納ができるコンロである。支持体５０は、支持底板６０と３つの支持脚板７０で構成され、コンロ本体１０は、受板２０、３つの側板３０、および火床板４０で構成される。それらの基本的な構成は以下の通りである。
【００３１】
支持体５０の支持底板６０は、図２に示すように、薄肉の平板状であり、左側、右側、前側及び奥側の位置のそれぞれに底板スリット部６１が略矩形状を形成するように形成され、水平姿勢で組み立てられる。なお、この底板スリット部６１は、少なくとも左側、右側及び奥側（または前側）の位置のそれぞれに略コ字状に形成することもできる。
【００３２】
支持体５０の３つの支持脚板７０は、図３に示すように、それぞれが同じく薄肉の平板状で、上部に上部係止部７１が形成され、下部に下部係止部７３が形成される。また、下部側が支持底板６０の底板スリット部６１に挿入され、下部係止部７３が支持底板６０の底板スリット部６１に係止されて起立姿勢で組み立てられる。この支持脚板７０は、左右両下端部に脚片７４を備えているが、この脚片７４間の空間部分を埋めた構成（すなわち、実質的に脚片７４を設けない構成）にすることもできる。
【００３３】
コンロ本体１０の受板２０は、図４に示すように、同じく肉薄の平板状であり、外方寄りに設けた受板第一スリット部２１と内方寄りに設けた受板第二スリット部２２が、左側、右側、前側及び奥側の位置に、並列して略矩形状に形成される。また、左側、右側、前側及び奥側を除く中央部分に大きな開口部を有する。なお、これらの受板第一スリット部２１と受板第二スリット部２２は、左側、右側及び奥側（または前側）に略コ字状を形成するように形成しても良い。そして、支持脚板７０の上部側が受板第一スリット部２１に挿入され、支持脚板７０の上部係止部７１が受板第一スリット部２１に係止される。これにより、受板２０は支持底板６０の上方において水平姿勢で組み立てられる。
【００３４】
コンロ本体１０の３つの側板３０は、図５に示すように、同じく薄肉の平板状で台形を成し、上底よりも短く、側板係止部３１が形成された下底が受板２０の受板第二スリット部２２に上方から挿入される。また、側板係止部３１が受板第二スリット部２２に係止され、側板３０の外側表面に支持脚板７０の上端が当接した状態で側板３０が支持される。これにより、３つの側板３０は上方外側に向けて末広がり状に傾斜した起立姿勢に組み立てられる。なお、隣接する二つの側板３０は、その側端部同士を全体的あるいは部分的に当接させても良いし、離隔させても良いが、両者の間には、両者を係止あるいは嵌合する部材は何ら設けていない。なお、この３つの側板３０の上には、食材を調理するための調整器具（網，鉄板，鍋など）が載置される。
【００３５】
なお、側板３０は四つ設け、その一つに着火室Ｆの入口を形成する開口部を設けても良い。この場合、調理器具Ｔを四方から安定姿勢で支持できるといった利点がある。
【００３６】
コンロ本体１０の火床板４０は、図６に示すように、同じく薄肉の平板状で多数の開口部を有する。また、左右側端及び奥側端が３つの側板３０の内側表面にそれぞれ当接して、これら３つの板側を外方に押し広げるようにして水平姿勢に組み立てられる。
【００３７】
上記した本実施形態に係る携帯用コンロ１によれば、支持体５０及びコンロ本体１０を構成する全ての構成部材を全て平板状とし、細かい補助部材を不要としたので、少ない部品点数で構成することができる。また、これにより、組立ておよび分解を極めて容易に行うことができる。また、全ての構成部材が平板状であるため、安定姿勢で重ねることができるので嵩張らない。従って、収納及び搬送も極めて容易である。
【００３８】
本実施形態に係る携帯用コンロ１は、上記の基本的構成に加えて、さらに以下の特徴的な構成を備える。
すなわち、支持脚板７０に形成された上部係止部７１は、水平に延びるスリット部７２とそのスリット部７２の両端に位置する２つの柱片部７５で構成される。また、受板２０の受板第一スリット部２１は、その幅が支持脚板７０の厚みよりも大きい長孔部２１ａと、その長孔部２１ａの両端から外側に向かって連設された２つの矩形状空間部２１ｂからなる略コ字状空間で構成される。
【００３９】
さらに、受板第一スリット部２１に挿入された支持脚板７０のスリット部７２に、受板２０の受板第一スリット部２１の２つの矩形状空間部２１ｂの間に形成された突出部２１ｃが差込まれるとともに、２つの矩形状空間部２１ｂに、支持脚板７０の２つの柱片部７５がそれぞれ納められるようにして、受板２０に対して支持脚板７０が組み立てられる。
【００４０】
これにより、補助部材を要することなく、受板２０と支持脚板７０を充分な構造強度で組み立てることができる。すなわち、図１１、図１４、図１５に示すように、受板２０の突出部２１ｃを支持脚板７０のスリット部７２に差込むとともに、受板２０の二つの矩形状空間部２１ｂのそれぞれに、支持脚板７０の対応する柱片部７５を納めるので、受板２０と支持脚板７０は前後方向のみならず、左右方向および上下方向への相対移動も阻止された状態で組み立てられる。より具体的には、柱片部７５が矩形状空間部２１ｂの左右側面に当接するので左右方向の相互移動がされる（図１５（ａ）参照）。また、突出部２１ｃがスリット部７２の上下面に当接するので上下方向の移動が阻止される。その結果、受板２０と支持脚板７０は充分な構造強度を確保した状態で相互に組付くことができる。
【００４１】
また、支持脚板７０は、上部に比較して下部が幅広であり、支持脚板７０に形成された下部係止部７３は、支持脚板７０の下部に形成された下部段部で構成される。これにより、支持底板６０の底板スリット部６１に対して下方から上方に支持脚部がその上部から挿入され、下部段部上に支持脚部が当接することで、支持底板６０と支持脚部が組み立てられる。
【００４２】
その結果、支持脚板７０と支持底板６０との組付け及び分解を容易に行うことができる。支持底板６０は支持脚板７０に、当該支持脚板７０の下部係止部７３に上載した状態で組付けられるからである。なお、本実施形態の底板スリット部６１は、図２に示すような平面が略断面皿形状に代えて、図１５に示すような単なる長孔形状とすることもできる。ただし、略断面皿形状とすることにより、物の詰まりを防止でき、洗浄および加工をし易くできるといった利点がある。
【００４３】
また、側板３０に形成された側板係止部３１は、下底の両端が切り欠かれて形成された側板段部で構成される。これにより、受板２０の受板第二スリット部２２に挿入された側板３０の側板段部が受板２０上に当接することで、受板２０に対して側板３０が組み立てられる。これによって、受板２０と側板３０との組付け及び分解を容易にすることができる。なお、受板第二スリット部２２も、底板スリット部６１と同様に、略断面皿形状に代えて単なる長孔形状とすることができる。ただし、略断面皿形状とすることにより、同様に、物の詰まりを防止でき、洗浄および加工をし易くできるといった利点がある。
【００４４】
さらに、側板３０の略中間高さ部分に側板孔部３２を形成するとともに、火床板４０の側端に側板孔部３２に係止する突起部４１を設けることができる。これにより、火床板４０の突起部４１を側板３０の側板孔部３２に係止させた状態で、火床板４０を側板３０に組付けるので、火床板４０を安定姿勢で側板３０に組付けることができる。なお、側板３０は上方外側に向けて末広がり状に傾斜した起立姿勢に組み立てられているので、火床板４０を水平姿勢で上下に動かすのみで、その突起部４１を側板３０の側板孔部３２に係止及び離脱させることができる。従って、両者を容易に組付け及び分解することができる。
【００４５】
なお、側板３０と火床板４０の係止構造はこれに限定されるものではなく、例えば、側板３０に内方へ突出する凸部を設けてその上に火床板４０を上載するなど、他のあらゆる係止手段を採用することができる。
【００４６】
また、受板２０の左右両端部のそれぞれに左右に面一に突出した取手部２３を設けることができる。これにより、携帯用コンロ１を組立てた後における調理中においても、この取手部２３を持って携帯用コンロ１を容易かつ安全に持ち上げて移動させることができる。
【００４７】
すなわち、取手部２３を持ち上げると、それに一体の受板２０が持ち上がり、その際、前記したように、受板２０の突出部２１ｃが支持脚板７０のスリット部７２に差し込まれているため（図１５（ｂ）参照）、支持脚板７０が持ち上がり、この支持脚板７０の上端が側板３０の外面に当接しているため、側板３０が持ち上がる。その結果、携帯用コンロ１の全体を持ち上げて移動させることができる。なお、支持底板６０は支持脚板７０の下部係止部７３に係止しているため一緒に持ち上げられ、側板３０は火床板４０によって外方に押し広げられているために、その姿勢を維持した状態で持ち上げられる。
【００４８】
また、本実施形態の携帯用コンロ１は、受板２０と火床板４０との間の空間を、火床板４０に上載される燃料を着火させるための着火材を挿入する着火室Ｆとしている。これにより、着火室Ｆに着火材を置いて燃焼させることにより、その上の火床板４０に上載された木炭などの燃料を容易かつ迅速に着火させることができる。
【００４９】
なお、図１及び図７に示すように、受板２０の上に、着火材を載せる出し入れ板８０を水平方向へ挿入及び取り出し自在に配置することができる。これにより、出し入れ板８０の位置を調整することにより、着火材を着火室Ｆの最適な箇所に容易に配置することができる。また、安全に取り出すこともできる。
【００５０】
またさらに、受板２０と支持底板６０との間の空間を、灰や油などを受けるための受皿を挿入する受皿室Ｐとしている。これにより、受皿室Ｐに受皿を載置し、例えば、調理中に肉などの食材から発生する油分を受皿で受けたり、燃焼する木炭から発生する灰を受けたりすることにより、携帯用コンロ１の使用場所を汚すことがない。
【００５１】
本実施形態に係る携帯用コンロ１は、次のようにして組み立てることができる。図１及び図８乃至図１２を参照して説明する。
まず、支持底板６０の３つの底板スリット部６１のそれぞれに、支持脚板７０を逆立姿勢で挿入して組付ける（図８）。組付け後、両者をひっくり返して支持脚板７０を正立姿勢で起立させる（図９）。これにより、支持底板６０は、支持脚板７０の下部係止部（下部段部）７３の上に当接して組み立てられる。なお、支持底板６０はおもて面と裏面が同じように構成される。
【００５２】
次に、３つの支持脚板７０のそれぞれの上部を受板２０の３つの受板第一スリット部２１に挿入する（図１０）。これにより、受板２０の３つの受板第一スリット部２１は、対応する支持脚板７０の上部係止部７１の上に当接する。この状態から、各支持脚板７０をそれぞれの外方に押し広げることによって、受板２０の突出部２１ｃを支持脚板７０のスリット部７２に差し込むと共に、受板２０の二つの矩形状空間部２１ｂのそれぞれに、支持脚板７０の柱片部７５を挿入し、両者を組付ける（図１１）。
【００５３】
次に、３つの側板３０の側板係止部（側板段部）３１を対応する受板２０の受板第二スリット部２２に差し込んで組付ける（図１２）。最後に、火床板４０を３つの側板３０に、その突起部４１を側板３０の側板孔部３２に差し込んで組付ける（図１）。この状態で、３つの側板３０は火床板４０の重量により外方に押し広げられた姿勢を維持することができる。
【００５４】
このように組み立てることにより、受板２０と火床板４０との間の空間を、火床板４０に上載される燃料を着火させるための着火材を挿入する着火室Ｆとすることができる。また、受板２０と支持底板６０との間の空間を、灰や油などを受けるための受皿を挿入する受皿室Ｐとすることができる。なお、３つの側板３０の上には網や鉄板などの調理器具Ｔを載置する。火床板４０と調理器具Ｔとの間の空間は、木炭などを燃焼させる燃焼室となる。
【００５５】
これにより、着火室Ｆを設けたことにより、使用する木炭の着火を容易に早めることができる。また、受皿室を設けたことにより、灰や油などを受けることができるので、キャンプ場などの携帯用コンロを使用する場所の汚れを回避できる。
【符号の説明】
【００５６】
１        携帯用コンロ
１０      コンロ本体
２０      受板
２１      受板第一スリット部
２１ａ    長孔部
２１ｂ    矩形状空間部
２１ｃ    突出部
２２      受板第二スリット部
２３      取手部
３０      側板
３１      側板係止部（側板段部）
３２      側板孔部
４０      火床板
４１      突起部
５０      支持体
６０      支持底板
６１      底板スリット部
７０      支持脚板
７１      上部係止部（上部段部）
７２      スリット部
７３      下部係止部（下部段部）
７４      脚片
７５      柱片部
８０      出し入れ板
Ｆ        着火室
Ｐ        受皿室
Ｔ        調理器具
【図１】
2020192186.tif 000003
【図２】
2020192186.tif 000004
【図３】
2020192186.tif 000005
【図４】
2020192186.tif 000006
【図５】
2020192186.tif 000007
【図６】
2020192186.tif 000008
【図７】
2020192186.tif 000009
【図８】
2020192186.tif 000010
【図９】
2020192186.tif 000011
【図１０】
2020192186.tif 000012
【図１１】
2020192186.tif 000013
【図１２】
2020192186.tif 000014
【図１３】
2020192186.tif 000015
【図１４】
2020192186.tif 000016
【図１５】
2020192186.tif 000017
【図１６】
2020192186.tif 000018